(57)【要約】【課題】  本発明は文字や絵等の模様をレーザーカッターによって、容易に短時間に行なうことができ、額縁やケース体を用いることなく立設状態で展示できるようにしてコストの低減を図ることができ、かつ模様面の光の乱反射によって模様を浮き上がらせ、目立つように展示することができる装飾体を得るにある。【解決手段】  表面にレーザーカッターによって文字や絵等の模様が形成され、下部がほぼ直線状に形成された光透過性のパネルと、このパネルの下部を一方の凹部内に挿入固定させるＨ形鋼形状の支持具と、この支持具の他方の凹部内に収納された発光ダイオード点灯回路と、この発光ダイオード点灯回路に接続された支持具の一方の凹部と他方の凹部との仕切壁に貫通するように形成された複数個の透孔にそれぞれ設けられた複数個の発光ダイオードと、支持具の他方の凹部を利用して取付けられたパネルを立設状態に保つベース板と、パネルの下部を除く外周部に設けられた遮光テープやカバー等の遮光体とで装飾体を構成している。【選択図】  図１
2006110768.tif 000002
【特許請求の範囲】
【請求項１】
表面にレーザーカッターによって文字や絵等の模様が形成され、下部がほぼ直線状に形成された光透過性のパネルと、このパネルの下部を一方の凹部内に挿入固定させるＨ形鋼形状の支持具と、この支持具の他方の凹部内に収納された発光ダイオード点灯回路と、この発光ダイオード点灯回路に接続された前記支持具の一方の凹部と他方の凹部との仕切壁に貫通するように形成された複数個の透孔にそれぞれ設けられた複数個の発光ダイオードと、前記支持具の他方の凹部を利用して取付けられた、前記パネルを立設状態に保つベース板と、前記パネルの下部を除く外周部に設けられた遮光テープ、ミラーテープやカバー等の遮光体とからなることを特徴とする装飾体。
【請求項２】
表面にレーザーカッターによって文字や絵等の模様が形成された下部がほぼ直線状に形成された透明アクリル材製のパネルと、このパネルの下部を一方の凹部内に挿入固定させるＨ形鋼形状の支持具と、この支持具の他方の凹部内に収納された発光ダイオード点灯回路と、この発光ダイオード点灯回路に接続された前記支持具の一方の凹部と他方の凹部との仕切壁に貫通するように形成された複数個の透孔に設けられた色の異なる複数個の発光ダイオードと、前記支持具の他方の凹部を利用して取付けられた、前記パネルを立設状態に保つベース板と、前記パネルの下部を除く外周部に設けられた遮光テープやミラーテープを用いた遮光体とからなることを特徴とする装飾体。
【請求項３】
両表面あるいは一方の表面にレーザーカッターによって文字や絵等の模様が形成され、下部がほぼ直線状に形成された光透過性のパネルと、このパネルの模様が形成された部位の表面を保護するように接着あるいは粘着固定された透明なシリコンフ゜レートと、前記パネルの下部が挿入された状態で固定させることができる凹部を備える支持具と、この支持具の凹部内に収納された発光ダイオード点灯回路と、この発光ダイオード点灯回路に接続された前記支持具の凹部に設けられた複数個の発光ダイオードと、前記支持具に形成された前記パネルを立設状態に保つベース板と、前記パネルおよび前記シリコンフ゜レートの下部を除く外周部に設けられた遮光テープ、ミラーテープやカバー等の遮光体とからなることを特徴とする装飾体。
【発明の詳細な説明】
【技術分野】
【０００１】
本発明はディスプレイ装置、看板、装飾品等として使用することができる装飾体に関する。
【背景技術】
【０００２】
従来、透明板にサンドブラストで文字や絵等の模様を形成したパネルを額縁に収納したり、ケース体に収納した装飾体が考えられている。
【０００３】
このため、透明板にサンドブラストで文字や絵等の模様を形成するため、その作業に手数がかかり、コスト高になるという欠点があった。
また、パネルを額縁に収納したり、ケース体に収納するため、額縁やケース体によってコスト高になるという欠点があった。
【特許文献１】特になし
【発明の開示】
【発明が解決しようとする課題】
【０００４】
本発明は以上のような従来の欠点に鑑み、文字や絵等の模様をレーザーカッターによって、容易に短時間に行なうことができるとともに、額縁やケース体を用いることなく立設状態で展示できるようにしてコストの低減を図ることができ、かつ模様面の光の乱反射によって模様を浮き上がらせ、目立つように展示することができる装飾体を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は表面にレーザーカッターによって文字や絵等の模様が形成され、下部がほぼ直線状に形成された光透過性のパネルと、このパネルの下部を一方の凹部内に挿入固定させるＨ形鋼形状の支持具と、この支持具の他方の凹部内に収納された発光ダイオード点灯回路と、この発光ダイオード点灯回路に接続された前記支持具の一方の凹部と他方の凹部との仕切壁に貫通するように形成された複数個の透孔にそれぞれ設けられた複数個の発光ダイオードと、前記支持具の他方の凹部を利用して取付けられた、前記パネルを立設状態に保つベース板と、前記パネルの下部を除く外周部に設けられた遮光テープ、ミラーテープやカバー等の遮光体とで装飾体を構成している。
【発明の効果】
【０００７】
以上の説明から明らかなように、本発明にあっては次に列挙する効果が得られる。
【０００８】
（１）表面にレーザーカッターによって文字や絵等の模様が形成され、下部がほぼ直線状に形成された光透過性のパネルと、このパネルの下部を一方の凹部内に挿入固定させるＨ形鋼形状の支持具と、この支持具の他方の凹部内に収納された発光ダイオード点灯回路と、この発光ダイオード点灯回路に接続された前記支持具の一方の凹部と他方の凹部との仕切壁に貫通するように形成された複数個の透孔にそれぞれ設けられた複数個の発光ダイオードと、前記支持具の他方の凹部を利用して取付けられた、前記パネルを立設状態に保つベース板と、前記パネルの下部を除く外周部に設けられた遮光テープ、ミラーテープやカバー等の遮光体とで構成されているので、従来のように額縁やケース体を用いることなく、パネルを立設状態にして表示することができる。
したがって、構造が簡単で、安価に製造することができる。
【０００９】
（２）前記（１）によって、パネルに文字や絵等の模様をレーザーカッターで形成するので、従来のサンドブラストに比べ、容易に短時間に模様を形成することができる。
【００１０】
（３）前記（１）によって、Ｈ形鋼形状の支持具を用いているので、パネルの下端部を容易に塞ぐことができるとともに、該支持具の他方の凹部内に複数個の発光ダイオードやダイオードの点灯回路をケース体を用いることなく設置することができる。
したがって、コンパクトで、安価にダイオードの点灯回路を設置することができる。
【００１１】
（４）前記（１）によって、支持具は市販のＨ形鋼を用いることができる。
したがって、すべての部品を市販されているものを用いることができ、部品を作る設備が不要で、気軽に製造することができる。
【００１２】
（５）請求項２、３も前記（１）〜（４）と同様な効果が得られる
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は本発明の装飾体で、この装飾体１は模様２が形成されたパネル３と、このパネル３の下部に取付けられた支持具４と、この支持具４内に収納された前記パネル３内に光を透過させる複数個の発光ダイオード５および、該複数個の発光ダイオード５を点灯させる点灯回路６と、前記支持具４に取付けられた前記パネル３を立設状態に保つベース板７と、前記パネル３の下部を除く部位の外周部に取付けられた遮光体８とで構成されている。
【００１５】
前記パネル３は長方形状のアクリル、ポリプロピレン等の合成樹脂材製の光透過性のパネル本体９と、このパネル本体９の表面にレーザーカッター１０によって形成された文字や絵等の模様２とで構成され、前記レーザーカッター１０はイギリスのキャドキャムテクノロジーリミテッド社のグラフィクスキャンレーザー５００を用いて入力された模様２のデータに基づき、パネル本体９の表面を焼失させて模様２を形成する。
【００１６】
前記支持具４は前記パネル３の下端部を一方の凹部１１内に挿入固定することができるＨ形鋼形状の支持具本体１２と、この支持具本体１２の一方の凹部１１と他方の凹部１３との仕切壁１４に形成された、前記発光ダイオード５を挿入することができる複数個の透孔１５とで構成されている。
【００１７】
前記点灯回路６は前記支持具４の他方の凹部１３内に収納された複数個の発光ダイオード５に接続されている制御回路１６が設けられた基板１７と、この基板１７に接続された電気ウキ等に使用されているサイズが、直径が４．２×３５．９ｍｍのリチウム電池１８と、このリチウム電池１８と前記制御回路１６との間に介装され、前記支持具４の一端部より操作片１９が外方へ突出するスイッチ２０とで構成されている。
【００１８】
前記ベース板７は一端部が前記支持具４の他方の凹部１３内に挿入される挿入片２１、２１を直角に折り曲げて形成された一対のベース板本体２２、２２と、この一対のベース板本体２２、２２の挿入片２１、２１間に挿入され、接着剤等によって固定される固定バー部材２３とで構成されている。
【００１９】
前記遮光体８は金接着テープや銀接着テープ等の遮光テープ２４をパネル３の外周面に接着固定したものである。
【００２０】
上記構成の装飾体１は点灯回路６のスイッチ２０をＯＮすることにより、複数個の発光ダイオード５を点灯させると、パネル３内を複数個の発光ダイオード５の光が通過するが、該パネル３の表面にレーザーカッター１０で焼失形成された文字や絵等の模様２部分で乱反射して、模様２を浮き上がらせて見せることができる。
また、点灯回路６はＨ形鋼形状の支持具４の他方の凹部１３やベース板７がカバー体の役目をするとともに、支持具４とベース板７でパネル３を立設状態で展示できる。
[発明を実施するための異なる形態]
【００２１】
次に、図８ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図８ないし図１０に示す本発明を実施するための第２の形態において、前記本発明を実施するための最良の第１の形態と主に異なる点は、板状のベース板７Ａを用いるとともに、該ベース板７Ａのほぼ中央部を複数本の皿ビス２５等によって支持具４の仕切壁１４に形成されたねじ孔２６と螺合固定した点で、このように構成した装飾体１Ａにしても、前記本発明を実施するための最良の第１の形態と同様な作用効果が得られる。
【００２３】
図１１ないし図１３に示す本発明を実施するための第３の形態において、前記本発明を実施するための最良の第１の形態と主に異なる点は、四角形状以外の多角形状、本発明の実施の形態では五角形状に形成されたパネル３Ａを用いるとともに、該パネル３Ａの下部を除く外周部を遮光テープ２４と断面コ字状のカバー２７とからなる遮光体８Ａを用いた点で、このように構成した装飾体１Ｂにしても、前記本発明を実施するための最良の第１の形態と同様な作用効果が得られる。
【００２４】
図１４および図１５に示す本発明を実施するための第４の形態において、前記本発明を実施するための最良の第１の形態と主に異なる点は、半円弧形状のパネル３Ｂを用いた点で、このように構成した装飾体１Ｃにしても、前記本発明を実施するための最良の第１の形態と同様な作用効果が得られる。
【００２５】
図１６ないし図１８に示す本発明を実施するための第５の形態において、前記本発明を実施するための最良の第１の形態と主に異なる点は、両表面にレーザーカッターによって文字や絵等の模様２が形成され、下部がほぼ直線状に形成された光透過性のパネル３Cと、このパネル３Cの模様が形成された部位の表面を保護するように接着あるいは粘着固定された透明なシリコンフ゜レート２８,２８とを用いた点で、このように構成した装飾体１Ｄにしても、前記本発明を実施するための最良の第１の形態と同様な作用効果が得られるとともに、立体感のある文字や絵等の模様２Ａにでき、かつ文字や絵等の模様２が形成された部位の保護を図ることができる。
なお、本発明の実施の形態では両表面にレーザーカッターによって文字や絵等の模様２が形成したのについて説明したが本発明はこれに限らず、一方の表面に模様２を形成し、該部位を透明なシリコンフ゜レート２８で覆っても良い。
【００２６】
図１９ないし図２１に示す本発明を実施するための第６の形態において、前記本発明を実施するための第５の形態と主に異なる点は、光透過性のパネル３Cの下部が挿入された状態で固定させることができるパネル凹部１１Ａを備える支持具４Ａと、この支持具４Ａのパネル凹部１１Ａ内の下部位置の凹部１１Ｂに収納された発光ダイオード点灯回路６と、この発光ダイオード点灯回路６に接続された前記支持具４Ａの凹部１１Ｂに設けられた複数個の発光ダイオード５と、前記支持具４Ａに形成された前記パネル３Cを立設状態に保つベース板７Ｂとを用いた点で、このように構成した装飾体１Ｅにしても、前記本発明を実施するための第５の形態と同様な作用効果が得られる
【産業上の利用可能性】
【００２７】
本発明はディスプレイ装置、看板、装飾品等として使用することができる装飾体を製造する産業で利用される。
【図面の簡単な説明】
【００２８】
【図１】本発明の第１の実施の形態の一部破断正面図。
【図２】本発明の第１の実施の形態の側面図。
【図３】図１の３−３線に沿う断面図。
【図４】本発明の第１の実施の形態のパネルの加工状態を示す説明図。
【図５】本発明の第１の実施の形態の支持具の説明図。
【図６】本発明の第１の実施の形態の要部断面図。
【図７】本発明の第１の実施の形態の概略回路図。
【図８】本発明の第２の実施の形態の一部破断正面図。
【図９】本発明の第２の実施の形態の側面図。
【図１０】本発明の第２の実施の形態の要部断面図。
【図１１】本発明の第３の実施の形態の一部破断正面図。
【図１２】本発明の第３の実施の形態の側面図。
【図１３】本発明の第３の実施の形態の要部断面図。
【図１４】本発明の第４の実施の形態の一部破断正面図。
【図１５】本発明の第４の実施の形態の要部断面図。
【図１６】本発明の第５の実施の形態の一部破断正面図。
【図１７】本発明の第５の実施の形態の側面図。
【図１８】図１６の１８−１８線に沿う断面図。
【図１９】本発明の第６の実施の形態の一部破断正面図。
【図２０】本発明の第６の実施の形態の側面図。
【図２１】図１９の２１−２１線に沿う断面図。
【符号の説明】
【００２９】
１、１Ａ、１Ｂ、１Ｃ、１Ｄ、１Ｅ：装飾体、
２、２Ａ：模様、        ３、３Ａ、３Ｂ、３Ｃ：パネル、
４、４Ａ：支持具、      ５：発光ダイオード、
６：点灯回路、          ７、７Ａ：ベース板、
８、８Ａ：遮光体、      ９：パネル本体、
１０：レーザーカッター、１１、１１Ａ、１１Ｂ：一方の凹部、
１２：支持具本体、      １３：他方の凹部、
１４：仕切壁、          １５：透孔、
１６：制御回路、        １７：基板、
１８：電池、            １９：操作片、
２０：スイッチ、        ２１：挿入片、
２２：ベース板本体、    ２３：固定バー部材、
２４：遮光テープ、      ２５：皿ビス、
２６：ねじ孔、          ２７：カバー、
２８：シリコンフ゜レート。
【図１】
2006110768.tif 000003
【図２】
2006110768.tif 000004
【図３】
2006110768.tif 000005
【図４】
2006110768.tif 000006
【図５】
2006110768.tif 000007
【図６】
2006110768.tif 000008
【図７】
2006110768.tif 000009
【図８】
2006110768.tif 000010
【図９】
2006110768.tif 000011
【図１０】
2006110768.tif 000012
【図１１】
2006110768.tif 000013
【図１２】
2006110768.tif 000014
【図１３】
2006110768.tif 000015
【図１４】
2006110768.tif 000016
【図１５】
2006110768.tif 000017
【図１６】
2006110768.tif 000018
【図１７】
2006110768.tif 000019
【図１８】
2006110768.tif 000020
【図１９】
2006110768.tif 000021
【図２０】
2006110768.tif 000022
【図２１】
2006110768.tif 000023